(57)【要約】【課題】３Ｄ写真の作成からＷｅｂ公開までの作業を、インターネットに関する専門的な知識を持たないユーザーでも簡単にかつ短時間で行えるようにするシステムを提供する。【解決手段】３Ｄ写真の作成からＷｅｂ公開までの作業を、クライアントアプリケーションを使用してボタン一発で行えるようにした。【選択図】        図１
2006344094.tif 000002
【特許請求の範囲】
【請求項１】
ローカルパソコン上で３Ｄ写真を作成し、広域ネットワークを介して作成した３Ｄ写真を閲覧ユーザーの端末へ配信するシステムであって、３Ｄ写真の作成と撮影対象物の説明の記入をサポートし、作成したデータを広域ネットワークを介してデータ受信サーバーに転送するクライアントアプリケーションと、データ受信サーバーに転送された３Ｄ写真を格納するファイルサーバーと、データ受信サーバーに転送されたファイルのサイズに応じてデータ転送料をクレジットカードや電子マネーなどにより徴収する課金手段と、登録した顧客情報を管理するための顧客情報データベースと、ファイル情報データベースと顧客情報データベースを管理するデータベースサーバーと、広域ネットワーク上の不特定多数の閲覧ユーザーを対象にした商品の閲覧を受け付けるＷｅｂサーバーを有することを特徴とする３Ｄ写真の作成およびＷｅｂ公開システム。
【発明の詳細な説明】
【技術分野】
【０００１】
本発明は、３Ｄ写真の作成および作成された３Ｄ写真を簡単にＷｅｂ上に公開するシステムに関するものである。
【背景技術】
【０００２】
インターネット販売において、出品者が商品を消費者に立体的に見せるために商品の３Ｄ写真をインターネットに公開する場合、以下の手順を必要とする。
【０００３】
商品の写真を撮影し、特定のオーサリングソフトを購入しそれを用いて３Ｄ写真を生成し、３Ｄ写真と商品説明を含むＨＴＭＬファイルを格納するＷｅｂスペースを確保し、商品説明を含むＨＴＭＬファイルを作成し、ＨＴＭＬソースの中に３Ｄ写真を表示するようにスクリプトを埋め込み、最後に３Ｄ写真とＨＴＭＬファイルをＦＴＰ転送ツールを用いてＷｅｂサーバーに転送しなければならない。
【０００４】
前記のような手順を経て始めて３Ｄ写真をＷｅｂ上に公開することができる。
【発明の開示】
【発明が解決しようとする課題】
【０００５】
しかしながら、このような従来技術による３Ｄ写真のＷｅｂ公開は、多数の手順を必要とし、かつ、画像処理やコンピューター、インターネットに関する高度な技術を必要とするため、これらの技術を身に付けていない一般的なユーザーは自分の力で３Ｄ写真のＷｅｂ公開を行うことができないという問題点がある。
【０００６】
本発明は、このような従来の問題を解決しようとするもので、３Ｄ写真の作成からＷｅｂ公開までの作業を、インターネットに関する専門的な知識を持たないユーザーでも簡単にかつ短時間で行えるようにするシステムを提供することを目的としている。
【課題を解決するための手段】
【０００７】
上記目的を達成するため、請求項１に記載の発明は、ローカルパソコン上で３Ｄ写真を作成し、広域ネットワークを介して作成した３Ｄ写真を閲覧ユーザーの端末へ配信するシステムであって、３Ｄ写真の作成と撮影対象物の説明の記入をサポートし、作成したデータを広域ネットワークを介してデータ受信サーバーに転送するクライアントアプリケーションと、データ受信サーバーに転送された３Ｄ写真を格納するファイルサーバーと、データ受信サーバーに転送されたファイルのサイズに応じてデータ転送料をクレジットカードや電子マネーなどにより徴収する課金手段と、登録した顧客情報を管理するための顧客情報データベースと、ファイル情報データベースと顧客情報データベースを管理するデータベースサーバーと、広域ネットワーク上の不特定多数の閲覧ユーザーを対象にした商品の閲覧を受け付けるＷｅｂサーバーを有することを特徴としている。
【発明の効果】
【０００８】
以上で説明したように、本発明によれば、今までに３Ｄ写真を利用して自店の商品を消費者に紹介したいけれど、インターネットに関する知識や技術が不足していたために利用できなかった人が、簡単に３Ｄ写真を作成でき、かつ簡単にＷｅｂに公開することができるようになるという効果がある。
【０００９】
また、本発明により、３Ｄ写真という技術がインターネットショッピングにおいて普及し、その結果、消費者は商品を立体的に見ることができて、かつ、拡大して細部まで見られるので、安心してインターネットで買い物ができるようになるという効果がある。
【００１０】
さらに、出品者は既存のネット販売システム（大手ネットショッピングモールや大手オークションシステムなど）に変更を加えずに、消費者に３Ｄ写真を提供できるので、より多くの商品（特に美術品やインテリアなどオブジェクトのデザインが重視される商品）が売れるようになるという効果がある。
【発明を実施するための最良の形態】
【００１１】
以下、本発明を実施するための最良の形態について図を参照して説明する。図１は本発明の実施の形態に係わる３Ｄ写真の作成およびＷｅｂ公開システムの構成図である。
【００１２】
図２は３Ｄ写真を撮影するための装置の図である。図３は３Ｄ写真の作成およびＷｅｂ公開手段の構成図である。図４はＷｅｂに公開された３Ｄ写真を閲覧するときに表示されるＷｅｂページのイメージ図である。
【００１３】
図１において、１は出品者であり、出品者のパソコンに、３Ｄ写真の作成と作成した３Ｄ写真をデータ受信サーバー７に転送するクライアントアプリケーション２がインストールされている。
【００１４】
３，４はＷｅｂに公開された３Ｄ写真を閲覧するユーザーである。５はインターネットやＬＡＮ、携帯ネットなどのネットワークである。
【００１５】
６はＷｅｂサーバーであり、広域ネットワーク５を介して閲覧ユーザー３，４と接続しており、閲覧ユーザーのリクエストに対して３Ｄ写真と説明文を送信する。７はクライアントアプリケーション１から転送された３Ｄ写真や３Ｄ写真にサイズなどの情報、３Ｄ写真に対する説明文を受信するデータ受信サーバーである。
【００１６】
７で受信した３Ｄ写真はファイルサーバー８に移動され、保存される。７で受信した３Ｄ写真に関する情報と説明文はファイル情報データベース１１に書き込まれる。
【００１７】
１２は顧客情報データベースであり、本発明を利用する顧客のユーザーアカウント情報、パスワードや連絡先などの情報が格納されている。９はデータベースサーバーで、ファイル情報データベース１１や顧客情報データベース１２のアクセスを管理する。
【００１８】
６から１２までのシステムをまとめてシステムセンター１０と呼ぶ。１３は光ＬＡＮなどの専用回線で、クレジットカード会社１４や電子マネー発行銀行１５などの金融機関と接続している。
【００１９】
１６は課金手段で、クライアントアプリケーション２からデータ受信サーバー７へのデータ転送量に応じて電子マネー決済や各種のカードの決済などの課金処理を行う。
【００２０】
以下、３Ｄ写真の作成およびＷｅｂ公開に関する動作について説明する。
【００２１】
まず、出品者は出品したい商品を図２に示すような回転するターンテーブル２１に載置して、ターンテーブルを一定の角度回転させながら全方向からオブジェクトをデジタルカメラ２３により撮影する。
【００２２】
図３に示す手段について説明する。撮影した写真を出品者のパソコンに取り込み、図１のクライアントアプリケーション２に撮影した写真を読み込ませる。
【００２３】
次に、Ｑｕｉｃｋｔｉｍｅ（商品名）に付属するＡＰＩを用いて、撮影した写真をＱｕｉｃｋｔｉｍｅＶＲ形式（ムービーファイルのフォーマットの一種）に変換する。こうして３Ｄ写真の作成が完了する。
【００２４】
作成された３Ｄ写真は図１のクライアントアプリケーション２のウインドウ内で即座にプレビューすることができる。
【００２５】
作成された写真をマウスで掴んだまま上下左右に動かすと、３Ｄ写真に写っているオブジェクトもマウスの移動方向および移動量に応じて回転するのである。
【００２６】
３Ｄ写真に写っているオブジェクトが回転する原理は、マウスの移動方向に合わせて、ターンテーブルを用いて撮影された写真が次々と差し換えられて表示されることである。
【００２７】
プレビューで作成された３Ｄ写真を確認して結果がＯＫならば、作成された３Ｄ写真に関する説明を記入する。
【００２８】
最後に、クライアントアプリケーションの「転送」ボタンをクリックすると、ＴＣＰ／ＩＰプロトコルにより３Ｄ写真と３Ｄ写真の情報、説明文がデータ受信サーバーに転送され、３Ｄ写真に関する情報と説明文はファイル情報データベースに書き込まれる。
【００２９】
このとき、出品者がどのぐらいの量のデータをデータ受信サーバーに転送したかを記録し、この情報もファイル情報データベースに書き込まれる。
【００３０】
ファイル情報データベースへの書き込みが成功すると、クライアントアプリケーションはデータ転送サーバーから３Ｄ写真を閲覧するためのＷｅｂページのＵＲＬを通知され、その結果がクライアントアプリケーションの画面に表示される。
【００３１】
出品者はオークションやインターネットショッピングモールなどに出品している自店の商品の説明部分にこのＵＲＬを貼り付けることで、第三者の閲覧を呼びかけることが可能である。
【００３２】
閲覧に関しては後に詳しく説明する。
【００３３】
ここまでが３Ｄ写真をＷｅｂに公開する動作である。実際に出品者が行う作業は、オブジェクトの写真撮影、撮影した写真の読み込み、３Ｄ写真作成ボタンのクリック、説明文の記入、転送ボタンのクリックという５つの作業だけである。
【００３４】
この５つの作業は、パソコンの初心者でも一度簡単な説明を受ければ容易に行えるはずである。
【００３５】
出品者は、ＷｅｂサーバーやＷｅｂスペース、データベース、ＨＴＭＬファイルなどについて全く意識する必要は無い。
【００３６】
課金手段については、クライアントアプリケーションからデータ受信サーバーへ転送されたデータの量に応じて、クレジットカードや電子マネーなどにより代金を徴収する。
【００３７】
転送された３Ｄ写真の閲覧に関する動作を以下に述べる。上記の説明で述べたように、３Ｄ写真のデータサーバーへの転送が完了すると、クライアントアプリケーションは閲覧するためのＵＲＬを通知される。
【００３８】
図１の閲覧ユーザー３，４がこのＵＲＬにアクセスすると、Ｗｅｂサーバー上でＷｅｂページのＨＴＭＬソースを生成するプログラムが実行される。
【００３９】
このプログラムは、図１のファイル情報データベースに書き込まれているデータをもとに３Ｄ写真と説明文を含むＷｅｂページのＨＴＭＬソースを生成する。
【００４０】
生成されたＨＴＭＬソースは閲覧ユーザーのＷｅｂブラウザーに転送される。
【００４１】
３Ｄ写真表示用のプラグインを有するＷｅｂブラウザーであれば、説明文と３Ｄ写真が同一ページ内に表示される。そのイメージ図を図４に示す。
【００４２】
図４で表示された３Ｄ写真４２をマウスでつかんだまま上下左右に動かすと、クライアントアプリケーションでのプレビューと同様に、３Ｄ写真の中のオブジェクトがマウスの動きに合わせて回転する。
【００４３】
このようにして閲覧ユーザーは３Ｄ写真の中のオブジェクトをすべての角度から眺めることができ、さらに、図４のコントロールバー４５の操作により、オブジェクトを自由自在に拡大や縮小することができる。
【００４４】
３Ｄ写真表示用のプラグインを有しないブラウザーの場合、３Ｄ写真表示用のプラグインのインストール方法が書かれた説明文が表示され、その説明に従えばプラグインをインストールすることができる。
【図面の簡単な説明】
【００４５】
【図１】本発明の実施の形態に係わる３Ｄ写真の作成およびＷｅｂ公開システムの構成図である。
【図２】３Ｄ写真を撮影するための装置図である。
【図３】３Ｄ写真の作成およびＷｅｂ公開手段の構成図である。
【図４】Ｗｅｂに公開された３Ｄ写真を閲覧するときに表示されるＷｅｂページのイメージ図である。
【図１】
2006344094.tif 000003
【図２】
2006344094.tif 000004
【図３】
2006344094.tif 000005
【図４】
2006344094.tif 000006